(57)【要約】【課題】空気抵抗が少なく圧力損失の少ないグリルの提供。【解決手段】この給気グリル２０においては、室内の壁部２１に取り付けられる固定筒部２３に、フレキシブルダクトＤに接続される接続筒部２３Ａが設けられており、固定筒部２３に開口部２２の室内側縁部に接触する固定用ツバ部２５が形成され、固定用ツバ部２５の近傍に固定用開口部２７が形成され、固定用ツバ部２５の近傍に、固定用ツバ部２５と共に壁部２１の開口縁部２２Ａを挟む取付金具２８が設けられ、取付金具２８に固定筒部２３の内径より大きな開口部４３が形成され、この開口部４３の内部に、固定筒部２３の奥壁部３５に到達する可動筒部２４が挿入され、可動筒部２４の奥壁部３６側の周面に接続筒部２３Ａと連通可能な開口部３７が形成され、固定筒部２３の奥壁部３５と可動筒部２４の奥壁部３６とが滑らかな曲面形状となるようにほぼ球面状に形成されている。【選択図】　図１
2004125339.tif 000002
【特許請求の範囲】
【請求項１】
室内の天井若しくは壁部に形成された開口部に挿入され、室内側へ開口する開口部を有し、前記天井若しくは壁部の室外側のダクトに接続される接続筒部を備えたエルボ形の固定筒部と、該固定筒部内に挿入され、前記接続筒部と連通可能な開口が形成された開口部と、室内側に開口する開口部とを有する可動筒部とを備え、該可動筒部の奥壁部が滑らかな曲面状に形成されていることを特徴とするグリル。
【請求項２】
請求項１のグリルにおいて、
前記可動筒部の外周に凹部を形成し、前記固定筒部に前記凹部に嵌合する突起を形成したことを特徴とするグリル。
【発明の詳細な説明】
【０００１】
【発明の属する技術分野】
本発明は、建物の室内に空気を取り入れたり、排気するために、室内の壁面等に取り付けられるグリルに関する。
【０００２】
【従来の技術】
従来から、建物の室内の壁面に取り付けられるグリルとしては、例えば特許文献１に記載される「換気口」が知られている。
【０００３】
図１１は、この換気口部材１の構成を示したものである。換気口部材１は、壁面２に形成された開口部に挿入される外側換気口部３と、外側換気口部３の内部に挿入される内側換気口部４とで構成されている。外側換気口部３は、壁面２の室外側に突出する円筒形状部５と、開口部の縁部に固定されるフランジ部６とを備えており、円筒形状部５の奥部にダクト７が装着される接続管部８が、「Ｌ」字形状に形成されている。
【０００４】
円筒形状部５の内側には、内側換気口部４が挿入される。内側接続口部４の外周部は外側換気口部３の内壁部に沿って摺接して回転可能な径を有しており、奥部外周壁に開口部９が形成されている。開口部９は、内側換気口部４を外側換気口部５に対して回転させることにより、空気の通る風路断面を調整するためのものである。
【０００５】
【特許文献１】
特開平１０−３２５５９０号公報
【０００６】
【発明が解決しようとする課題】
しかしながら、このような「換気口」は、壁面に固定される円筒形状の外側換気口部５の奥壁部が、円筒形状に形成されているので、ダクト７から供給される空気の向きが直角に変更されて渦が生じるため、風路抵抗が大きくなり、換気扇の送風ファンの送風効率が良くないという問題がある。
【０００７】
本発明は、このような問題に着目してなされたものであり、グリルの送風時の抵抗を極力少なくすることを目的とする。
【０００８】
【課題を解決するための手段】
上記の課題を解決するために、本発明にかかるグリルは、室内の天井若しくは壁部に形成された開口部に挿入され、室内側へ開口する開口部を有し、前記天井若しくは壁部の室外側のダクトに接続される接続筒部を備えたエルボ形の固定筒部と、該固定筒部内に挿入され、前記接続筒部と連通可能な開口が形成された開口部と、室内側に開口する開口部とを有する可動筒部とを備え、該可動筒部の奥壁部が滑らかな曲面状に形成されていることを特徴とする。
【０００９】
また、請求項１のグリルにおいて、前記可動筒部の外周に凹部を形成し、前記固定筒部に前記凹部に嵌合する突起を形成しても良い。
【００１０】
【発明の実施の形態】
以下、本発明の実施の形態にかかるグリルを図面に基づいて説明する。この発明の実施の形態では、グリルの一例として給気グリルを示しているが、この発明を排気グリルに適用することは可能である。
【００１１】
図１は一実施の形態にかかる給気グリル２０を示している。この給気グリル２０は、建物室内の壁部２１の開口部２２に取り付けられるものである。この壁部２１は石膏ボードとされており、この壁部２１の開口部２２の縁部を表裏方向から挟むように給気グリル２０は取り付けられる。給気グリル２０は、固定筒部２３と可動筒部２４とを備えており、壁部２１の裏側である室外側に配備されるフレキシブルダクトＤから空気を供給されて可動筒部２４から室内に空気を供給するようになっている。
【００１２】
この実施の形態の給気グリル２０の主要部を説明すると、この給気グリル２０は、室内の壁部２１に形成された開口部２２に挿入される固定筒部２３に、壁部２１の室外側のフレキシブルダクトＤに接続される接続筒部２３Ａが設けられており、固定筒部２３に開口部２２の室内側縁部に接触する固定用ツバ部２５が形成されている。また、固定用ツバ部２５の近傍には壁部２１の室外側に臨む固定用開口部２７が形成され、固定用ツバ部２５の近傍に、固定用開口部２７から外側に突出して固定用ツバ部２５と共に壁部２１の開口縁部２２Ａを挟む固定部材としての取付金具２８が設けられ、取付金具２８（固定部材）に、固定筒部２３の内径より大きな開口部４３が形成されている。取付金具２８の開口部４３の内部に、固定筒部２３の奥壁部３５に到達する可動筒部２４が挿入され、可動筒部２４の奥壁部３６側の周面に接続筒部２３Ａと連通可能な開口部３７が形成され、固定筒部２３の奥壁部３５と可動筒部２４の奥壁部３６とが相似形状となるようにほぼ球面状に形成され、滑らかな曲面状とされている。
【００１３】
この滑らかな曲面状には、空気の通路内に空気の流れを妨げない曲面が含まれる。例えば、この曲面は、真円球、楕円球等による球面の一部の他に、二次関数・三角関数・指数関数等の各種の関数曲線や、不連続の曲線同士を繋ぎ合わせた線、若しくは、曲線と直線を繋ぎ合わせた線を、ＸＹ座標系の所定の軸を中心に回転させて得られる曲面、又は、全体的に滑らかな曲面となるように複数の平面を繋ぎ合わせて構成しても良い。
【００１４】
固定筒部２３は「Ｌ」字形状のエルボ形とされており、固定筒部２３の奥部側に開口部２２の奥部に挿入される接続筒部２３Ａが形成されている。接続筒部２３Ａには、壁部２１の裏側のフレキシブルダクトＤが接続される。固定筒部２３は、開口部２２の表面側の縁部に当てられる固定用ツバ部２５を備えている。
【００１５】
固定用ツバ部２５の近傍には、固定用筒部２３の内側を取り囲むリング状の平面部２６Ａを有するリング収納部２６が設けられ、リング収納部２６の内側が可動筒部２４の挿入空間とされている。リング収納部２６は取付金具２８を挿入して、取付金具２８と固定用ツバ部２５とで壁部２１の開口部２２の縁部を挟む際に、取付金具２８の高さを調整するものである。このため、図３に示すように、リング収納部２６の周壁部の対向する部位には、固定用開口部２７が一対形成されている。この固定用開口部２７には、図４に示すように、取付金具２８の爪部２９が挿入される。この爪部２９は固定用ツバ部２５と共に壁部２１の開口部２２の縁部を挟みつける。リング収納部２６のリング状の平面部２６Ａは、図４に示すように、取付金具２８にねじ込んだネジ３０の先端をリング収納部２６のリング状の平面部に押し付けたときのリング収納部２６の反力により、爪部２９と固定用ツバ部２５で開口部２２の縁部を挟む際に、ネジ３０をねじ込んだときの押圧力を支持する部位である。
【００１６】
固定筒部２３のリング収納部２６のやや奥の部位には、図３に示すように、押圧用のボール３１を脱落しないように保持する筒体３２が取り付けられている。筒体３２の内部にはスプリング３３が蓋部３４によって格納されており、ボール３１は、スプリング３３により筒体３２の先端から固定筒部２３の内部に向かって付勢されている。
【００１７】
固定筒部２３の奥壁部３５は球面形状に形成されており、球心Ｏ１から奥壁部３５の内壁までの半径はＲ１とされている。この半径Ｒ１は、可動筒部２４の奥壁部３６の球心Ｏ２から奥壁部外周までの半径Ｒ２とほぼ等しく設定されており、固定筒部２３の奥壁部３５と可動筒部２４の奥壁部３６は、相似形に形成されている。この固定筒部２３の奥壁部３５及び可動筒部２４の奥壁部３６の相似形のほぼ球面形状は、球面を含むものであるが、楕円や対数曲線により形成される非球面でも良い。このように、固定筒部２３と可動筒部２４の奥壁部３５，３６が相似形のほぼ球面形状であると、接続筒部２３Ａから送られてくる空気が室内側に向きを変えるときに、渦や滞留領域が生じにくいために、換気扇の送風機の損失を減少できると共に、エルボ形の固定筒部２３の接続筒部２３ＡにフレキシブルダクトＤを装着して壁部２１の開口部２２に挿入するときに、奥壁部３５が開口部２２の縁部に当たりにくいので、給気グリル２０の取付作業性が向上するのみならず、開口部２２を小口径化できる。
【００１８】
図７〜図１０は可動筒部２４を示している。可動筒部２４は接続筒部２３Ａから供給される換気扇の空気を室内に配風する際の空気の供給量を調整するためのものである。可動筒部２４は、接続筒部２３Ａから給気を取り入れる開口部３７を有しており、固定筒部２３の内部に可動筒部２４を挿入するときに、開口部３７の縁部が形成する仮想面の接続筒部２３Ａの軸心に対する向きを変えることによって、室内への給気量を調整する。可動筒部２４の開口部３７の反対側の端部は空気を吐出する給気口３８とされている。
【００１９】
給気口３８の周囲の縁部３８Ａには、ツバ部３９が形成されている。ツバ部３９の外周部は、図１に示すように、固定用ツバ部２５を覆うことが可能な口径を有している。縁部３８Ａには、図８に示すように、可動筒部２４を指で摘んで回転させるための突起４０が形成されている。可動筒部２４の外周面であって、ボール３１が臨む高さの部分には、凹部としての溝４１が形成されている。この凹部は溝４１の延びる方向にボール３１が嵌合可能な球形或いは矩形の平面形状を有する凹部を複数個点線状に配列したものであっても良い。溝４１はボール３１が嵌り込むことによって、固定筒部２３から可動筒部２４が脱落することを防止すると共に、接続筒部２３Ａの軸心方向に対する可動筒部２４の開口部３７の角度を維持する。
【００２０】
取付金具２８は、図６に示す半円弧状の金属板材４２を一対結合させたものであり、組み合わせた内側部分に可動筒部２４を挿入可能な開口部４３を形成する。一つの金属板材４２は両端部に長孔４４を形成した結合板部４５Ａ、４５Ｂを備えている。片方の結合板部４５Ａは円弧部４６より高くなる段差を有しており、他方の結合板部４５Ｂは円弧部より低くなる段差を有している。この段差が設けられていることによって、一組の金属板材４２の結合板部４５Ａ、４５Ｂ同士が重ねられて、ネジＳとナットＮによって結合されるときに、両方の金属板材４２の爪部２９が等しい高さを保つことが出来るようになっている。爪部２９の根元部には、曲げ変形に対する剛性を確保する凸部４７が形成され、この凸部４７にネジ孔４８が開口されている。ネジ孔４８には、ネジ３０がねじ込まれるネジ山が形成されている。
【００２１】
この給気グリル２０を壁部２１の開口部２２に取り付ける場合には、壁部２２の裏側にある前述のフレキシブルダクトＤを開口部２２から引き出し、前記フレキシブルダクトＤを接続筒部２３Ａに装着してテープ等で固定する。次に、フレキシブルダクトＤを壁部２１の裏側に戻しつつ固定筒部２３を開口部２２の内部に挿入する。固定筒部２３を開口部２２内に挿入した後には、一組の金属板材４２をリング状に仮組した取付金具２８を固定筒部２３のリング収納部２６内に挿入する。
【００２２】
金属板材４２を互いに外側に移動させて取付金具２８の爪部２９を固定用開口部２７に挿入した後に、ネジＳとナットＮを締め付けると、取付金具２８がリング状に固定される。金属板材４２同士をネジＳとナットＮで締結した後、ネジ３０をドライバーにより回転させると、ネジ３０の先端部がリング収納部２６の平らな面を押すこととなり、爪部２９が壁部２１側に移動して爪部２９と固定用ツバ部２５とで壁部２１が保持される。これによって、固定筒部２３が壁部２１の開口部２２に固定される。
【００２３】
爪部２９とツバ部２５で壁部２１を把持した後に、可動筒部２４を取付金具２８の開口部４３から固定筒部２３内部に挿入すると、可動筒部２４の溝４１にボール３１が入り込み、可動筒部２４が固定筒部２３から脱落しないように、保持される。
【００２４】
この状態で、突起４０を指で摘みつつ、換気扇の給気量に対応するように、接続筒部２３Ａに対する開口部３７の角度を定める。可動筒部２４の溝４１にボール３１が入り込んでいるので、可動筒部２４の開口部３７の接続筒部２３Ａに対する角度は事情に応じて調整が可能となる。
【００２５】
この実施の形態にかかる給気グリル２０によれば、可動筒部２４の内壁面の断面形状は一定のカーブとなり、接続筒部２３Ａから可動筒部２４内（若しくはその逆方向）に向かって流れる空気が可動筒部２３の角部において流れの向きを変えるとき、可動筒部２３内部において渦や滞留域が出来ないので、空気抵抗が減少し、換気扇の送風ファン等の圧力損失を軽減できる。可動筒部２４を固定筒部２３に挿入するときに、空気の流量調整のために、可動筒部２４の開口部と接続筒部２３Ａとの位置を調整しても、可動筒部２４内部における空気抵抗の少ない状態を維持できる。また、固定筒部２３に保持されたボール３１（突起）が可動筒部２４の溝４１（凹部）に嵌り込んでいるので、可動筒部２４の開口部３７の縁部の接続筒部２３Ａの軸心に対する角度を自在に変更調整ができる。ボール３１に変わる突起としては先端部が溝に掛止若しくは嵌合するように形成された板バネであっても良い。尚、上記の実施の形態では、吸気グリルとして説明したが、排気用の換気グリルに適用して用いても良い。
【００２６】
【発明の効果】
本発明にかかる給気グリルによれば、可動筒部内部において渦や滞留域が出来ないので、空気抵抗が減少し、換気扇の送風ファン等の圧力損失を軽減できる。
【図面の簡単な説明】
【図１】本発明の実施の形態にかかる給気グリルの構成を示す断面図。
【図２】図１の固定筒部の開口部形状を示す図。
【図３】図１の固定筒部の接続筒部方向の縦断面図。
【図４】図１の固定筒部と取付金具により壁部を保持する状態の断面図。
【図５】図１の取付金具をリング状に組み合わせた状態の平面図。
【図６】図５の取付金具を構成する金属板材の平面図。
【図７】図１の可動筒部の部分断面を示した側面図。
【図８】図１の可動筒部の室内側の開口部形状を示す図。
【図９】図１の可動筒部の接続筒部側の開口部を示す側面図。
【図１０】図１の可動筒部の斜視図。
【図１１】従来の換気口の分解斜視図。
【符号の説明】
２０　給気グリル
２１　壁部
２２　開口部
２３　固定筒部
２４　可動筒部
２５　固定用ツバ部
２６　リング収納部
２７　固定用開口部
２８　取付金具
２９　爪部
３０　ネジ
３５　固定筒部の奥壁部
３６　可動筒部の奥壁部
【図１】
2004125339.tif 000003
【図２】
2004125339.tif 000004
【図３】
2004125339.tif 000005
【図４】
2004125339.tif 000006
【図５】
2004125339.tif 000007
【図６】
2004125339.tif 000008
【図７】
2004125339.tif 000009
【図８】
2004125339.tif 000010
【図９】
2004125339.tif 000011
【図１０】
2004125339.tif 000012
【図１１】
2004125339.tif 000013